(57)【要約】
【課題】温水で心地良く局部を洗浄することができると共に、タンク部内を十分に清掃して雑菌の繁殖を完全に防止することができる局部洗浄装置を提供する。
【解決手段】局部洗浄装置１を、局部洗浄のための洗浄液を貯留するタンク部２と、このタンク部２の底部に配設された洗浄液を加熱する面ヒータ部３と、基端部が前記タンク部２と連通し、かつ、先端部に前記洗浄液を噴出するための開口部４を有する嘴管体５が連通接続された洗浄液ガイド管６と、を有して構成され、前記嘴管体５と前記タンク部２との高さ差により前記嘴管体５から局部洗浄に必要な噴出液圧が得られるように構成した。
【選択図】図１
0003100000.tif 000002
【実用新案登録請求の範囲】
【請求項１】
　局部洗浄のための洗浄液を貯留するタンク部と、このタンク部の底部に配設された洗浄液を加熱する面ヒータ部と、基端部が前記タンク部と連通し、かつ、先端部に前記洗浄液を噴出するための開口部を有する嘴管体が連通接続された洗浄液ガイド管と、を有して構成され、前記嘴管体と前記タンク部との高さ差により前記嘴管体から局部洗浄に必要な噴出液圧が得られるように構成されてなる局部洗浄装置。
【請求項２】
　前記タンク部の上部には、点滴スタンドや壁のフックに吊持可能な引掛体が配設されていることを特徴とする請求項１又は請求項２のいずれかに記載の局部洗浄装置。
【請求項３】
　前記タンク部を、透明な円筒体で形成すると共に、その胴部には、内容量を目視可能な目盛りを表示し、かつ、その上部開口部は、蓋体で液密状に開閉可能であることを特徴とする請求項１乃至請求項３のいずれかに記載の局部洗浄装置。
【請求項４】
　前記面ヒータ部は、前記タンク部の底部に配設された加熱板と、この加熱板に上面が接するように配設されたヒータと、該ヒータに配設されたヒータ温度センサーと、上記センサーからの温度情報に基づいてヒータの温度をコントロールする温調回路部と、上記タンク部内に配設された水温センサーと、該水温センサーからの温度検知情報に基づいてヒータの発熱量をコントロールする水温コントロール回路と、を有して構成されてなる請求項１乃至請求項４のいずれかに記載の局部洗浄装置。
【考案の詳細な説明】
【技術分野】
【０００１】
　本考案は、主として産婦人科で用いられる局部洗浄装置に係り、特に、洗浄水等の洗浄液を一定温度に加温した状態で噴射させることができる局部洗浄装置に関する。
【背景技術】
【０００２】
　従来の局部洗浄装置としては、例えば、特許文献１に示すような「携帯型局部洗浄装置」が知られており、この洗浄装置は、局部洗浄のための洗浄液を貯留するタンク部と、基端部が前記タンクと連通し、かつ、先端部に前記洗浄液を噴出するための開口部を有する嘴管体が連通接続された洗浄液ガイド管と、を有して構成され、前記嘴管体と前記タンク部との高さ差により前記嘴管体から局部洗浄に必要な噴出液圧が得られるように構成されている。
【０００３】
【特許文献１】特開平７−２８９４７０号公報
【０００４】
　このような構成からなる局部洗浄装置を、例えば、産婦人科等で常備して使用する場合、特に、冬場では、冷たい洗浄液が局部へと供出されるため、患者に不快感を与えることから、従来では、上記タンク部の内底部に渦巻状のニクロム線等を固定し、該ニクロム線でタンク部内の洗浄液を加温するものが存在する。
【０００５】
　しかしながら、このようなニクロム線を用いた局部洗浄装置にあっては、清掃するときに、このニクロム線が邪魔となり、十分な清掃を行うことができず、雑菌が繁殖し易い、という問題を有していた。また、この従来のニクロム線を使用した局部洗浄装置にあっては、空焚きを防止するため、タンク部内に一定量の洗浄液を常に残しておかなければならないため、新液との入れ替えを完全に行うことができず、雑菌の繁殖を助長する、という問題も有していた。
【考案の開示】
【考案が解決しようとする課題】
【０００６】
　この考案は、かかる現状に鑑み創案されたものであって、その目的とするところは、温水で心地良く局部を洗浄することができると共に、タンク部内を十分に清掃して雑菌の繁殖を完全に防止することができる局部洗浄装置を提供しようとするものである。
【課題を解決するための手段】
【０００７】
　上記目的を達成するため、請求項１に記載の考案にあっては、局部洗浄装置を、局部洗浄のための洗浄液を貯留するタンク部と、このタンク部の底部に配設された洗浄液を加熱する面ヒータ部と、基端部が前記タンク部と連通し、かつ、先端部に前記洗浄液を噴出するための開口部を有する嘴管体が連通接続された洗浄液ガイド管と、を有して構成され、前記嘴管体と前記タンク部との高さ差により前記嘴管体から局部洗浄に必要な噴出液圧が得られるように構成したことを特徴とするものである。
【０００８】
また、請求項２に記載の本考案にあっては、前記タンク部の上部に、局部洗浄に必要な噴出液圧が得られる高さ位置に保持するための点滴スタンドや壁のフックに吊持可能な引掛体を配設したことを特徴とするものである。
【０００９】
請求項３に記載の本考案にあっては、前記タンク部を、透明な円筒体で形成すると共に、その胴部には、内容量を目視可能な目盛りを表示し、かつ、その上部開口部は、蓋体で液密状に開閉可能であることを特徴とする。
【００１０】
請求項４に記載の本考案にあっては、前記面ヒータ部を、前記タンク部の底部に配設された加熱板と、この加熱板に上面が接するように配設されたヒータと、該ヒータに配設されたヒータ温度センサーと、上記センサーからの温度情報に基づいてヒータの温度をコントロールする温調回路部と、上記タンク部内に配設された水温センサーと、該水温センサーからの温度検知情報に基づいてヒータの発熱量をコントロールする水温コントロール回路と、を有して構成したことを特徴とするものである。
【考案の効果】
【００１１】
　以上説明したように、請求項１に記載の考案にあっては、局部洗浄装置を、局部洗浄のための洗浄液を貯留するタンク部と、このタンク部の底部に配設された洗浄液を加熱する面ヒータ部と、基端部が前記タンク部と連通し、かつ、先端部に前記洗浄液を噴出するための開口部を有する嘴管体が連通接続された洗浄液ガイド管と、を有して構成され、前記嘴管体と前記タンク部との高さ差により前記嘴管体から局部洗浄に必要な噴出液圧が得られるように構成したので、無動力で温水を局部へと噴射することができ、局部の洗浄を迅速かつ簡単に行うことができる。
【００１２】
また、請求項１に記載の考案にあっては、タンク部の底部が平面状に形成されているので、タンク部の内部を容易に洗浄することができ、しかも、雑菌等の繁殖を確実に防止することができ、衛生な温水を供給することができる。
【００１３】
請求項２に記載の本考案にあっては、前記タンク部の上部に、局部洗浄に必要な噴出液圧が得られる高さ位置に保持するための引掛体を配設したので、点滴スタンドや壁のフックに簡単に吊持することができ、また、局部洗浄に必要な噴出液圧が容易に得ることができる。
【００１４】
請求項３に記載の本考案にあっては、前記タンク部を、透明な円筒体で形成すると共に、その胴部には、内容量を目視可能な目盛りを表示し、かつ、その上部開口部は、蓋体で液密状に開閉可能となるように構成したので、内容量を容易に確認することができると共に、水の補給も容易に行うことができる。
【００１５】
請求項４に記載の本考案にあっては、前記面ヒータ部を、前記タンク部の底部に配設された加熱板と、この加熱板に上面が接するように配設されたヒータと、該ヒータに配設されたヒータ温度センサーと、上記センサーからの温度情報に基づいてヒータの温度をコントロールする温調回路部と、上記タンク部内に配設された水温センサーと、該水温センサーからの温度検知情報に基づいてヒータの発熱量をコントロールする水温コントロール回路と、を有して構成したので、空焚きを確実に防止することができる。
【考案を実施するための最良の形態】
【００１６】
　以下、添付図面に示す考案の実施の形態例に基づき、この考案を詳細に説明する。
【実施例１】
【００１７】
　図１と図２は、この考案の実施例１に係る局部洗浄装置１を示しており、該局部洗浄装置１は、局部洗浄のための洗浄水を貯留するタンク部２と、このタンク部２の底部に配設された洗浄水を加熱する面ヒータ部３と、基端部が前記タンク部２と連通し、かつ、先端部に前記洗浄水を噴出するための開口部４を有する嘴管体５が連通接続された洗浄水ガイドチューブ６と、を有して構成され、上記タンク部２の上部に配設された引掛体７を、例えば、点滴スタンドや壁のフックに引掛けることで、前記嘴管体５と前記タンク部２との高さに差を形成し、前記嘴管体５から局部洗浄に必要な噴出水圧が得られるように構成されている。
【００１８】
　即ち、透明な円筒体で形成されたタンク部２の表面には、内容量を目視可能な目盛り８が表示されており、その上部開口部は、蓋体９で開閉可能に構成されている。従って、水を補給する場合には、上記蓋体９を開けることで、注水補給作業をスムーズに行うことができる。勿論、上記タンク部２は、円筒状に限定されるものではなく、透明な筒状体若しくは袋状体で形成してもよい。また、上記蓋体９は、閉じた状態の時には、本洗浄装置１が倒れても、内容水が漏出しないように水密状態を保持することができるように構成されている。
【００１９】
　また、面ヒータ部３は、上記タンク部２の底部に配設された加熱板１０と、この加熱板１０に上面が接するように配設されたアルミニウム鋳込みヒータ１１と、該アルミニウム鋳込みヒータ１１の底面に形成された凹部に収納されたヒータ温度センサー１２と、これらを覆う断熱材１３と、上記センサー１２からの温度情報に基づいてヒータ１１の温度をコントロールする温調回路部１４と、上記タンク部２の底部近傍に配設されたサーモスタット、サーミスタ等からなる水温センサー１５と、該水温センサー１５からの温度検知情報に基づいてヒータ１１の発熱量をコントロールする水温コントロール回路１６と、から構成されている。尚、上記温度センサー１５は、保護管（肉薄管）に挿入されて水に浸漬される。
【００２０】
従って、タンク部２内の水温は、例えば３７℃を維持するように、上記ヒータ１１を一定温度、例えば７０℃で発熱させるように制御されるため、タンク部２の空焚き防止対策が特に不要であり、安全運転できる。
【００２１】
また、上記温水温度は、図１に示すように、上記タンク部２の外表面部に配設された温度表示液晶パネル１７に表示されると共に、該温水温度は、面ヒータ部３のハウジングに配設された表示パネル１８の水温設定ダイヤル１９で、例えば、３７℃、３９℃、４２℃を選択できるように構成されている。
【００２２】
　さらに、上記表示パネル１８には、電源ＯＮ・ＯＦＦスイッチ２０と、電源ＯＮ状態表示ランプ２１と、上記水温設定ダイヤル１９及びヒューズ（図示せず）が配設されている。尚、図中符号２２は、底板である。このように底板２２を配設することで、本実施例１に係る局部洗浄装置１は、円筒状の硬質体で全体が構成されるので、前記引掛体７で吊持する他に、机やテーブル等の上に載置しても使用することができる。
【００２３】
　また、上記嘴管体５は、レバーを引くことで開口から洗浄水を噴射できる構造のものであれば、例えば、特許第６１００２２号の嘴管体等、公知の各種嘴管体を適用することができる。
【００２４】
　この実施例１に係る局部洗浄装置１は、以上説明したように、前記嘴管体５と前記タンク部２との高さ差により、前記嘴管体５から局部洗浄に必要な噴出液圧が無動力で得ることができ、温水を局部へと確実に噴射することができ、局部の洗浄を迅速かつ簡単に行うことができ、しかも、上記タンク部２の底部は平面状に形成されているので、タンク部２の内部を容易に洗浄することができ、しかも、雑菌等の繁殖を確実に防止することができるので、衛生的な温水を供給することができる。また、上記タンク部２は、透明な円筒体で形成されていると共に、その胴部には、内容量を目視可能な目盛り８が表示されているので、内容量を容易に確認することができると共に、水の補給も容易に行うことができる。さらに、面ヒータ部３は、ヒータ１１に配設されたヒータ温度センサー１２及び水温センサー１５からの温度情報に基づいてヒータ１１の温度をコントロールするように構成されているので、空焚きを確実に防止することができる。
【００２５】
　尚、上記実施例１では、局部洗浄を洗浄水で行う場合について説明したが、この発明にあってはこれに限定されるものではなく、水に洗浄殺菌剤やオゾンガスを混入した洗浄液を用いてもよいことは勿論である。
【産業上の利用可能性】
【００２６】
　この考案に係る局部洗浄装置は、以上のように構成されているので、産婦人科等で好適に用いることができる他、家庭その他でも使用することができる。
【図面の簡単な説明】
【００２７】
【図１】この考案に係る局部洗浄装置の実施例１を示す斜視図である。
【図２】同局部洗浄装置の断面図である。
【符号の説明】
【００２８】
　１　局部洗浄装置
　２　タンク部
　３　面ヒータ部
　５　嘴管体
　６　洗浄水ガイドチューブ
　７　引掛体
　８　目盛り
　９　蓋
　１０　加熱板
　１１　アルミニウム鋳込みヒータ
　１２　ヒータ温度センサー
　１３　断熱材
　１４　ヒータ温調回路部
　１５　水温センサー
　１６　水温コントロール回路
　１７　温度表示液晶パネル
　１８　表示パネル
　１９　水温設定ダイヤル
　２０　電源ＯＮ・ＯＦＦスイッチ
２１　電源ＯＮ状態表示ランプ
２２　底板
【図１】
0003100000.tif 000003
【図２】
0003100000.tif 000004